(57)【要約】【課題】エレベータの乗りかご内部に設置された光源を容易に交換できることにより容易に保守管理ができ、構造が簡単であり、大きなスペースを必要としないエレベータ照明システムを提供する。【解決手段】エレベータ照明システム１００は、本天井１上面に設けられ、光を照射する光源７を内部に有する光源ボックス５と、一端部６ａが光源７の近傍に配置されるとともに、当該一端部６ａに光源７からの光が照射される光ファイバー６とを備えている。本天井１下面に照明ケース２が設けられ、照明ケース２の内部に光ファイバー６の他端部６ｂが配置される。光源７から光ファイバー６を経た光は、光ファイバー６の他端部６ｂ側から乗りかご３内に照光される。【選択図】図１
2007210768.tif 000002
【特許請求の範囲】
【請求項１】
本天井を有するエレベータの乗りかごに設置されたエレベータ照明システムにおいて、
本天井上面に設けられ、光を照射する光源を内部に有する光源ボックスと、
一端部が光源ボックスの光源の近傍に配置されるとともに本天井を貫通して本天井下面に延び、当該一端部に光源ボックスの光源からの光が照射される光ファイバーと、
本天井下面に設けられ、内部に光ファイバーの他端部が配置された照明ケースと、
を備え、
光源から光ファイバーを経た光を光ファイバーの他端部側から乗りかご内に照光することを特徴とするエレベータ照明システム。
【請求項２】
本天井と制御ボックスとを有するエレベータの乗りかごに設置されたエレベータ照明システムにおいて、
制御ボックス内部に設けられ、光を照射する光源を内部に有する光源ボックスと、
一端部が光源ボックスの光源の近傍に配置されるとともに、当該一端部に光源ボックスの光源からの光が照射される光ファイバーと、
本天井下面に設けられ、内部に光ファイバーの他端部が配置された照明ケースと、
を備え、
光源から光ファイバーを経た光を光ファイバーの他端部側から乗りかご内に照光することを特徴とするエレベータ照明システム。
【請求項３】
光源に、光源の光量を調節する調光装置を接続したことを特徴とする請求項１または２に記載のエレベータ照明システム。
【請求項４】
照明ケース内部に、光ファイバーの他端部に接続された照光体を配置し、
照光体は、光源から光ファイバーを介して到達した光を、乗りかご内部に照光することを特徴とする請求項１または２に記載のエレベータ照明システム。
【請求項５】
照光体は棒状の光拡散性アクリル体からなることを特徴とする請求項４に記載のエレベータ照明システム。
【請求項６】
照光体は薄型の直方体形状を有する光拡散性アクリル体からなることを特徴とする請求項４に記載のエレベータ照明システム。
【請求項７】
照光体は、その一部が照明ケースの外方に露出し、この照明ケースの外方に露出している照光体の部分を直接乗りかご内部から視認できることを特徴とする請求項４に記載のエレベータ照明システム。
【発明の詳細な説明】
【技術分野】
【０００１】
本発明は、エレベータの乗りかごに設置され、エレベータの乗りかご内部を照光するエレベータ照明システムに関する。
【背景技術】
【０００２】
従来より、エレベータの乗りかご内部を照光する光源として、蛍光灯等が広く用いられている。また、乗りかごの本天井に照明ボックスが設置され、この照明ボックスに多数の蛍光灯が取り付けられているのが一般的である。このため、照明ボックスに取り付けられた蛍光灯に球切れが発生した場合、その都度一本ずつ蛍光灯を交換している。また、一つの蛍光灯に球切れが発生したときに照明ボックス内部に設置されている全ての蛍光灯を交換する場合もあるが、この場合には、蛍光灯を交換するのに多大な時間を要する。
【０００３】
以下、図７（ａ）（ｂ）（ｃ）を用いて、これら従来のエレベータ照明システムの概略を説明する。ここで、図７（ａ）は、従来のエレベータ照明システムの斜視図、図７（ｂ）は、従来のエレベータ照明システムの図７（ａ）におけるＡ−Ａ線断面図、図７（ｃ）は、従来のエレベータ照明システムが設置された乗りかごの斜視図である。
【０００４】
まず、エレベータ照明システム１０は、本天井１を有するエレベータの乗りかご３に設置されている。本天井１には点検口１３、１３’が形成され、点検口蓋体１１、１１’は、この本天井１に形成された点検口１３、１３’を覆うように本天井１の上面に配置されている。また、エレベータ照明システム１０は、照明ケース２を有し、この照明ケース２は、本天井１下面に設けられ、照明ケース２の内部に蛍光灯１２、１２’が取り付けられている。
【０００５】
蛍光灯１２、１２’に球切れが発生した場合、まず、エレベータの乗りかごの動作を停止させる。次に、交換者が乗りかご３の上面に乗り、本天井１の上面に配置された点検口蓋体１１、１１’を外し、本天井１に形成された点検口１３、１３’から本天井１下面に設けられた照明ケース２の内部に手を入れて、照明ケース２の内部に取り付けられた蛍光灯１２、１２’を交換する。
【０００６】
このように、エレベータの乗りかご内部に設置された蛍光灯等の光源を交換する場合、エレベータを停止した状態で光源の交換を行なっており、その間エレベータの利用客を待機させることになる。このため、光源を交換する作業に要する時間を短くすることが望まれている。
【０００７】
また、蛍光灯等の光源は、その形状や大きさが予め決まっており、このような光源を狭い空間に配置することは困難である。
【０００８】
さらに、従来、光ファイバーを照明装置に用いるエレベーターが知られているが、この場合、光ファイバーの取り回しが複雑となっている。すなわち、このような照明装置に用いる光ファイバーは、光ファイバーの曲げ径が小さくなっており、光ファイバーに熱負荷が発生するおそれがある（特許文献１参照）。
【０００９】
さらにまた、光ファイバーを照明装置に用いるエレベータであって、太陽光を光ファイバーの光源とするエレベーターが知られている。しかしながら、このような装置はエレベータが設置される建造物の工事を伴うため大掛かりな装置となり、コスト的に割高となるおそれがある（特許文献２参照）。
【特許文献１】特開平１０−３１０３４６号
【特許文献２】特開平６−１７１８６６号
【発明の開示】
【発明が解決しようとする課題】
【００１０】
本発明はこのような点を考慮してなされたものであり、エレベータの乗りかご内部に設置された光源を容易に交換できることにより容易に保守管理ができ、構造が簡単であって、大きなスペースを必要としないエレベータ照明システムを提供することを目的とする。
【課題を解決するための手段】
【００１１】
本発明は、本天井を有するエレベータの乗りかごに設置されたエレベータ照明システムにおいて、本天井上面に設けられ、光を照射する光源を内部に有する光源ボックスと、一端部が光源ボックスの光源の近傍に配置されるとともに本天井を貫通して本天井下面に延び、当該一端部に光源ボックスの光源からの光が照射される光ファイバーと、本天井下面に設けられ、内部に光ファイバーの他端部が配置された照明ケースと、を備え、光源から光ファイバーを経た光を光ファイバーの他端部側から乗りかご内に照光することを特徴とするエレベータ照明システムである。
【００１２】
本発明は、本天井と制御ボックスとを有するエレベータの乗りかごに設置されたエレベータ照明システムにおいて、制御ボックス内部に設けられ、光を照射する光源を内部に有する光源ボックスと、一端部が光源ボックスの光源の近傍に配置されるとともに、当該一端部に光源ボックスの光源からの光が照射される光ファイバーと、本天井下面に設けられ、内部に光ファイバーの他端部が配置された照明ケースと、を備え、光源から光ファイバーを経た光を光ファイバーの他端部側から乗りかご内に照光することを特徴とするエレベータ照明システムである。
【００１３】
本発明は、光源に、光源の光量を調節する調光装置を接続したことを特徴とするエレベータ照明システムである。
【００１４】
本発明は、照明ケース内部に、光ファイバーの他端部に接続された照光体を配置し、照光体は、光源から光ファイバーを介して到達した光を、乗りかご内部に照光することを特徴とするエレベータ照明システムである。
【００１５】
本発明は、照光体は棒状の光拡散性アクリル体からなることを特徴とするエレベータ照明システムである。
【００１６】
本発明は、照光体は薄型の直方体形状を有する光拡散性アクリル体からなることを特徴とするエレベータ照明システムである。
【００１７】
本発明は、照光体は、その一部が照明ケースの外方に露出し、この照明ケースの外方に露出している照光体の部分を直接乗りかご内部から視認できることを特徴とするエレベータ照明システムである。
【発明の効果】
【００１８】
本発明によれば、エレベータの乗りかごに光源を有する光源ボックスを設け、この光源ボックスの光源近傍に光ファイバーの一端を設け、光ファイバーを本天井を貫通して本天井の下面側に配置して他端部側から照光するため、光ファイバーの設置を容易に行なうことができ、また光源が球切れとなった場合にも、短時間で光源を交換することができる。
【００１９】
また、本発明によれば、エレベータ照明システムの構造が簡単であるため、乗りかご内部においてエレベータ照明システムを設置するためのスペースを小さくすることができる。
【００２０】
さらに、本発明によれば、光源に接続された調光装置により、光ファイバーまたは照光体から乗りかご内部へ照光される光量を任意に調節することができ、光ムラを抑制する最適な光量とすることができる。
【００２１】
さらにまた、本発明によれば、照光体の形状や大きさを乗りかごのスペースに合わせて自在に設定することができる。
【００２２】
さらにまた、本発明によれば、照光体を意匠的に優れたものとし、この照光体を直接乗りかご内部から視認することができる。
【発明を実施するための最良の形態】
【００２３】
第１の実施の形態
以下、本発明の第１の実施の形態について、図１（ａ）〜（ｄ）を参照して説明する。ここで、図１（ａ）は、本発明の第１の実施の形態を示す斜視図、図１（ｂ）は、図１（ａ）のＢ−Ｂ線断面図、図１（ｃ）は図１（ａ）のＣ−Ｃ線断面図、図１（ｄ）は本発明によるエレベータ照明システムが取り付けられた乗りかごを示す斜視図である。
【００２４】
まず、図１（ａ）〜（ｄ）により本実施の形態によるエレベータ照明システムについて述べる。
図１（ｄ）に示すように、エレベータ照明システム１００は、本天井１を有するエレベータの乗りかご３に設置されている。また、図１（ａ）〜（ｃ）に示すように、エレベータ照明システム１００は、本天井１上面に設けられ、光を照射する光源７を内部に有する光源ボックス５と、一端部６ａが光源ボックス５の光源７近傍に配置され、本天井１を貫通して本天井１下面に延びる光ファイバー６と、本天井１下面に設けられ、内部に光ファイバー６の他端部６ａが配置された照明ケース２とを備えている。
【００２５】
このうち光源ボックス５は、光源７の周囲を囲んで設けられ、遮光性材質からなる箱体８を有している。また、光源７に光源７の光量を調節する調光装置２０が接続されている。調光装置２０は、図１（ａ）に示すように乗りかご３の上部に設けられていても良く、乗りかご３の内部に設けられていても良い。光源７としては、白熱電球、蛍光灯、ＬＥＤ等、光を照射する性質を有するものが用いられる。
【００２６】
また上述のように、光ファイバー６は、一端部６ａが光源ボックス５の光源７近傍に配置されるとともに、当該一端部６ａに光源ボックス５の光源７からの光が照射される。この光ファイバー６としては、光ファイバー６の他端部６ｂ側の側面部６ｃから光を照光する側面発光性の光ファイバーが用いられ、光ファイバー６の他端部６ｂ側の側面部６ｃのうち、光を照光する必要のない部分については遮光性のテープ等で被覆することが好ましい。
【００２７】
また上述のように、照明ケース２は本天井１下面に設けられ、内部に光ファイバー６の他端部６ｂが配置されている。この照明ケース２は全体または一部が透明な合成樹脂からなっている。
【００２８】
次に、このような構成からなる本実施の形態の作用について述べる。
光源ボックス５の光源７から、光源７の近傍に配置された光ファイバー６の一端部６ａに光が照射される。この光ファイバー６の一端部６ａに照射された光は、光ファイバー６内部を伝播し、光ファイバー６内部を経た光は、光ファイバー６の他端部６ｂ側の側面部６ｃから照明ケース２を介して乗りかご３内に照光される。
【００２９】
次に、光源７が球切れを起こした場合など、光源７を交換する場合の手順について簡単に述べる。まず、乗りかご３の動作を停止した後、交換者が停止した乗りかご３の上方に乗る。次に、交換者が光源ボックス５の箱体８を開けて、光源ボックス５内部の球切れ等を起こした光源７を外し、その後新しい光源７を光源ボックス５内部に取り付ける。
【００３０】
このように、本実施の形態によれば、エレベータの乗りかご３に光源７を有する光源ボックス５を設け、この光源ボックス５の光源７近傍に光ファイバー６の一端６ａを設け、光ファイバー６を本天井１を貫通して本天井１の下面側に配置して他端部６ｂ側から照光するため、光ファイバー６の設置を容易に行なうことができ、また光源７が球切れとなった場合にも、短時間で光源７を交換することができる。
【００３１】
また、本実施の形態によれば、エレベータ照明システム１００の構造が簡単であるため、乗りかご３内部においてエレベータ照明システム１００を設置するためのスペースを小さくすることができる。
【００３２】
さらに、本実施の形態によれば、光源７に接続された調光装置２０により、光ファイバー６の他端部６ｂ側から乗りかご３内部へ照光される光量を任意に調節することができ、乗りかご３内部へ照光される光の光ムラを抑制する最適な光量とすることができる。
【００３３】
第２の実施の形態
次に、図２（ａ）（ｂ）により本発明によるエレベータ照明システムの第２の実施の形態について説明する。なお、図２（ａ）は、本発明によるエレベータ照明システムの第２の実施の形態を示す斜視図であり、図２（ｂ）は、図２（ａ）Ｄ−Ｄ線断面図である。図２に示す実施の形態は、光源７の取り付け位置が異なるのみであり、他の構成は図１（ａ）〜（ｄ）に示す第１の実施の形態と略同一である。図２（ａ）（ｂ）において、図１（ａ）〜（ｄ）に示す第１の実施の形態と同一部分には同一の部号を付して詳細な説明は省略する。
【００３４】
図２（ａ）に示すように、エレベータ照明システム１００は、本天井１と制御ボックス９とを有するエレベータの乗りかご３に設置されている。このうち、制御ボックス９はＣＯＰ−ＢＯＸとも称され、乗りかご３内部に設けられている。この制御ボックス９の外面には、乗りかご３内部に向く行先階指定ボタン９ａが設けられ、かつ制御ボックス９には、制御ボックス９の内部を保守点検するための開閉扉（図示せず）が設けられている。
【００３５】
また、図２（ａ）（ｂ）に示すように、本発明によるエレベータ照明システム１００は制御ボックス９内部に設けられ、内部に光源７を有する光源ボックス５と、光源ボックス５の光源７近傍に一端部６ａが配置された光ファイバー６とを備えている。光ファイバー６は、乗りかご３内部から本天井１を貫通して上方に延び、本天井１の上面から再び本天井１を貫通して乗りかご３内部へ達している。そして、光ファイバー６の他端部６ｂ側は本天井１の下面に設けられ、全体または一部が透明な合成樹脂からなる照明ケース２内に配置されている。
【００３６】
次に、このような構成からなる本実施の形態の作用について述べる。
制御ボックス９内部に設けられた光源ボックス５の光源７から、光源７の近傍に配置された光ファイバー６の一端部６ａに光が照射される。この光ファイバー６の一端部６ａに照射された光は、光ファイバー６内部を伝播し、光ファイバー６内部を経た光は、光ファイバー６の他端部６ｂ側の側面部６ｃから照明ケース２を介して乗りかご３内に照光される。
【００３７】
次に、光源７が球切れを起こした場合など、光源７を交換する場合の手順について簡単に述べる。まず、交換者が乗りかご３の内部に乗る。次に、交換者が制御ボックス９外面の前記開閉扉を開けて、制御ボックス９内部に設けられた球切れ等を起こした光源ボックス５の光源７を外す。その後、新しい光源７を制御ボックス９内部の光源ボックス５内部に取り付ける。
【００３８】
このように、本実施の形態によれば、エレベータの乗りかご３に光源７を有する光源ボックス５を設け、この光源ボックス５の光源７近傍に光ファイバー６の一端６ａを設け、光ファイバー６を本天井１を貫通して本天井１の下面側に配置して他端部６ｂ側から照光するため、光ファイバー６の設置を容易に行なうことができる。
【００３９】
また、本実施の形態によれば、光源７が球切れとなった場合にも、光源ボックス５の光源７が制御ボックス９内部に設けられているため、交換者がエレベータの乗りかご３内部に居ながら短時間で光源７を交換することができる。
【００４０】
また、本実施の形態によれば、エレベータ照明システム１００の構造が簡単であるため、乗りかご３内部においてエレベータ照明システム１００を設置するためのスペースを小さくすることができる。とりわけ、本実施の形態によれば、既存の制御ボックス９を利用しており、制御ボックス９内部の空きスペースを有効活用することができる。
【００４１】
第３の実施の形態
次に図３（ａ）（ｂ）および図４により本発明によるエレベータ照明システムの第３の実施の形態について説明する。なお、図３（ａ）は、本発明の第３の実施の形態を示す斜視図であり、図３（ｂ）は、図３（ａ）のＥ−Ｅ線断面図であり、図４は、照光体の形状が図３（ａ）と異なる場合における本発明の第３の実施の形態を示す斜視図である。図３（ａ）（ｂ）および図４に示す実施の形態は、照光体を有する点が異なるのみであり、他の構成は図１（ａ）〜（ｄ）に示す第１の実施の形態と略同一である。図３（ａ）（ｂ）および図４に示す第３の実施の形態において、図１（ａ）〜（ｄ）に示す第１の実施の形態と同一部分には同一符号を付して詳細な説明は省略する。
【００４２】
まず、図３（ａ）（ｂ）および図４により本発明によるエレベータ照明システムの概略について述べる。
図３（ａ）（ｂ）および図４に示す本実施の形態において、エレベータ照明システム１００は、本天井１上面に設けられ、光を照射する光源７を内部に有する光源ボックス５と、一端部６ａが光源ボックス５の光源７近傍に配置され、本天井１を貫通して本天井１下面に延びる光ファイバー６と、本天井１下面に設けられ、全体または一部が透明な合成樹脂からなる照明ケース２とを備えている。
【００４３】
また、光ファイバー６の他端部６ｂには照光体４が接続され、この照明体４は、照明ケース２内部に配置されている。照光体４は、光ファイバー６の他端部６ｂに接続されている。ここで、図３（ａ）（ｂ）に示すように、一本の光ファイバー６に一本の照光体４が接続されていても良く、また、図４に示すように、光源ボックス５に複数の光ファイバー６、６が接続され、この複数の光ファイバー６、６に一本の照光体４が接続されていても良い。なお、本実施の形態における光ファイバー６は、第１の実施の形態および第２の実施の形態に示す光ファイバーと異なり、他端部６ｂのみから光を照光する光ファイバーが用いられ、光ファイバー６の他端部６ｂからの光が照光体４に導かれる。
【００４４】
また、照光体４は、図３（ａ）（ｂ）に示すように棒状の光拡散性アクリル体からなるものや、図４に示すように薄型の直方体形状を有する光拡散性アクリル体からなるものが用いられるほか、任意の形状や大きさとすることができる。
【００４５】
次に、このような構成からなる本実施の形態の作用について述べる。
光源ボックス５の光源７から、光源７の近傍に配置された光ファイバー６の一端部６ａに光が照射される。この光ファイバー６の一端部６ａに照射された光は、光ファイバー６内部を伝播し、光ファイバー６の他端部６ｂに到達する。光ファイバー６の他端部６ｂに到達した光は、照光体４の内部を通過しながら拡散され、照明ケース２を介して乗りかご３内に照光される。
【００４６】
このように、本実施の形態によれば、照光体４を利用することにより、エレベータ照明システム１００の構造を簡単にすることができ、乗りかご３内部においてエレベータ照明システム１００を設置するためのスペースを小さくすることができる。
【００４７】
また、本実施の形態によれば、照光体４の光拡散方向を調節することにより、乗りかご３内部において任意の方向に照光体４からの光を照光することができる。
【００４８】
さらに、本実施の形態によれば、照光体４の形状や大きさを乗りかご３の本天井１のスペースに合わせて自在に設定することができる。
【００４９】
第４の実施の形態
次に図５（ａ）（ｂ）および図８（ａ）（ｂ）により本発明によるエレベータ照明システムの第４の実施の形態について説明する。なお、図５（ａ）は、本発明の第４の実施の形態を示す斜視図であり、図５（ｂ）は、図５（ａ）の底面図である。また図８（ａ）は、本実施の形態の比較例を示す側面図であり、図８（ｂ）は、図８（ａ）の底面図である。図５（ａ）（ｂ）に示す実施の形態は、照光体の数と配置が異なるのみであり、他の構成は図３（ａ）（ｂ）に示す第３の実施の形態と略同一である。図５（ａ）（ｂ）に示す第４の実施の形態において、図３（ａ）（ｂ）に示す第３の実施の形態と同一部分には同一符号を付して詳細な説明は省略する。
【００５０】
図５（ａ）（ｂ）により本発明によるエレベータ照明システムの概略について述べる。
図５（ａ）（ｂ）に示す本実施の形態において、エレベータ照明システム１００は、本天井１上面に設けられ、光を照射する光源７を内部に有する光源ボックス５と、一端部６ａが光源ボックス５の光源７近傍に配置され、本天井１を貫通して本天井１下面に延びる複数の光ファイバー６と、本天井１下面に設けられ、全体または一部が光透過性を有する照明ケース２とを備えている。
【００５１】
光ファイバー６の他端部６ｂには複数の照光体４が接続され、この照光体４は照明ケース２内に保持されている。各照光体４は、光拡散性アクリル体からなり、照光体４の長さＬｒは、それぞれ後述のように本天井１の奥行き方向の蛍光灯１２の取付可能長さＬと略同一である。
【００５２】
次に、本発明の比較例について図８（ａ）（ｂ）により説明する。
図８（ａ）（ｂ）の比較例に示すように、エレベータ照明システム１０は、本天井１下面に設けられ、全体または一部が透明な合成樹脂からなる照明ケース２と、照明ケース２の内部に設置された複数の蛍光灯１２とを有している。ここで、図８（ｂ）に示すように、蛍光灯１２の長さＬｆと、本天井１の奥行きに対する蛍光灯１２が取り付け可能な長さＬとは必ずしも一致せず、照明ケース２内に蛍光灯１２が設置されていない無駄なスペース６０ａ、６０ｂ、６０ｃ、６０ｄが存在している。
【００５３】
これに対して本発明によれば、照光体４の長さＬｒを本天井１の奥行き方向の蛍光灯１２の取付可能長さＬと本天井１のスペースに合わせて自在に設定し、照明ケース２内から無駄なスペースを排除することができる。
【００５４】
第５の実施の形態
次に図６により本発明によるエレベータ照明システムの第５の実施の形態について説明する。なお、図６は、本発明の第５の実施の形態を示す斜視図である。図６に示す実施の形態は、照光体４の形状が異なるのみであり、他の構成は図３（ａ）（ｂ）に示す第３の実施の形態と略同一である。図６に示す第５の実施の形態において、図３（ａ）（ｂ）に示す第３の実施の形態と同一部分には同一符号を付して詳細な説明は省略する。
【００５５】
図６により本発明によるエレベータ照明システムの概略について述べる。
図６に示す第５の実施の形態において、エレベータ照明システム１００は、本天井１上面に設けられ、光を照射する光源７を内部に有する光源ボックス５と、一端部６ａが光源ボックス５の光源７近傍に配置され、本天井１を貫通して本天井１下面に延びる光ファイバー６と、本天井１下面に設けられ、全体または一部が透明な合成樹脂からなる照明ケース２とを備えている。
【００５６】
光ファイバー６の他端部６ｂには照明体４が接続され、照明体４は、照明ケース２の内部に配置されている。照光体４は、その一部が照明ケース２の外方に露出し、この照明ケース２の外方に露出している照光体４の部分を直接乗りかご３内部から視認できる。照光体４は、光拡散性アクリル体からなり、照光体４の形状は意匠的に優れたものとなっている。
【００５７】
このように、本実施の形態によれば、照光体４を意匠的に優れたものとし、この照光体４を直接乗りかご３内部から視認することができる。
【図面の簡単な説明】
【００５８】
【図１】図１（ａ）〜（ｄ）は、本発明によるエレベータ照明システムの第１の実施の形態を示す図。
【図２】図２（ａ）（ｂ）は、本発明によるエレベータ照明システムの第２の実施の形態を示す図。
【図３】図３（ａ）（ｂ）は、本発明によるエレベータ照明システムの第３の実施の形態を示す図。
【図４】図４は、本発明によるエレベータ照明システムの第３の実施の形態を示す図。
【図５】図５（ａ）（ｂ）は、本発明によるエレベータ照明システムの第４の実施の形態を示す図。
【図６】図６は、本発明によるエレベータ照明システムの第５の実施の形態を示す図。
【図７】図７（ａ）〜（ｃ）は、従来技術を示す図。
【図８】図８（ａ）（ｂ）は、本発明によるエレベータ照明システムの第４の実施の形態の比較例を示す図。
【符号の説明】
【００５９】
１      本天井
２      照明ケース
３      乗りかご
４      照光体
５      光源ボックス
６      光ファイバー
６ａ    一端部
６ｂ    他端部
６ｃ    側面部
７      光源
９      制御ボックス
２０    調光器
１００  エレベータ照明システム
【図１】
2007210768.tif 000003
【図２】
2007210768.tif 000004
【図３】
2007210768.tif 000005
【図４】
2007210768.tif 000006
【図５】
2007210768.tif 000007
【図６】
2007210768.tif 000008
【図７】
2007210768.tif 000009
【図８】
2007210768.tif 000010